(57)【要約】      （修正有）【課題】超硬チップ付き草刈り丸鋸において  石やコンクリートなどによるチップの破損を最小限度におさえ切れ味を永持ちさせる。【解決手段】Ａの部分で石やコンクリートを粉砕しＢとＣの刃の部分で草を刈り取り，しかも簡単に再研磨出来る形状にした。そして、草刈り丸鋸の草刈り機への取り付け部にゴム板を介して衝撃力の緩和に勤めた。【選択図】図１
0003130755.tif 000002
【実用新案登録請求の範囲】
【請求項１】
超硬チップ付き草刈り丸鋸における  チップの形状と台板へのロウ付け方法  並びに刃の付け方
【請求項２】
草刈り丸鋸の  草刈り機への取り付け方法
【考案の詳細な説明】
【考案の詳細な説明】
【技術分野】
【０００１】刃先の強化の為に超硬チップを付けた  草刈り丸鋸に関する考案
【背景技術】
【０００２】空き地や石垣、道路や要壁付近の草刈りにおいて  刃先に石などの硬い物が  ぶつかった時の為に  刃先に超硬チップを付けて  切れ味が落ちるのを防いでいます。例えば（特許文献１）や（実用新案文献１）のような技術がある【０００３】
【特許文献１】出願番号      特許出願平１１−３１８５４５公開番号      特許公開２００１−１２８５３０
出願人        株式会社日光製作所
発明者        福本  幸男  外１名
発明の名称    刈払機用超硬刈刃【０００４】
【実用新案文献１】
出願番号      実用新案出願平１０２９０１
登録番号      登録実用新案第３０５３６５９号
実用新案権者  金蔵鋸工業株式会社
考案者        井上  誠吾
考案の名称    草刈りチップソー
【考案が解決しようとする課題】
【０００５】  現在  道路や石垣の際に生えた雑草，大小の石ころやゴミの散在する空き地などの草刈りには、超硬チップの付いた草刈り丸鋸を使いますが、石や鉄に当たれば  じきに切れ味が落ちてしまいます、そして大きな石にガツンとぶつかれば  硬いチップもフッ飛んでしまいます。これは非常に危険で  作業者への安全管理の上で問題があります。これをチップの形状と、丸鋸の草刈り機への取り付け方法によって防ぎ、永切れのする草刈り丸鋸の実現の為の考案です。
【課題を解決する為の手段】
【０００６】超硬チップの形状と台板へのロウ付け方法、それと草刈り丸鋸の草刈り機への取り付けをゴム板を介して行う。
【考案を実施するための最良の形態】
【０００７】〔図１〕に示す様に  超硬チップの先端部Ａを残し  Ｂ部分を角度３０度位で削り取り  そのまま台板部分Ｃを経由してＤの所まで削り取る、これを  裏面からも同じ様に削って刃を付ける，この刃の角度は６０位となる、チップの台板へのロウ付けは  チップと台板を同一平面上の外周円とし〔図２〕に示す従来の様な刃先に逃げ角Ｅは付けない．草刈り丸鋸の草刈り機への取り付けは〔図４〕の示す様にゴム板Ｆを介して行う。
【考案の効果】
【０００８】従来の多くの超硬チップ付き丸鋸は  先端の刃が地面に対して  垂直についているので草に対しては  刃が平行に動くので  言って見れば  鎌を立てて使っているような事で非常に効率が悪く  刈り残しも多い。本考案は  チップ台板が作り出す刃は  地面に対して水平に動き  〔図１〕に示すＡの部分にぶつかった草は  ＢからＣへ  そしてＤに至るまでにきれいに切断される仕組で  刈り残しがない。〔図１〕のＢ及びＣの部分は  ディスク面に対して２０度〜３０度の角度で削り取り  裏からも同じ様に削り  両刃の成す角を  ４０度〜６０度にして  現場の状況に合わせた刃の角度を選ぶことが出来る、そして又  チップ及び台板の刃の再研磨の場合も  かまぼこ型のダイヤモンド砥石などによって  簡単に研ぐ事ができる。従来の草刈り丸鋸の致命的なところは  最も石やコンクリートがぶつかりやすい所に  草を刈る為の刃がある事で  条件の厳しい場所では  すぐに切れ味が落ちてしまう、そこで本考案は〔図１〕に示す様に  Ａの部分には刃を付けず破損の少ない丈夫な形にし  チップのロウ付け部分は〔図２〕に示す  従来の様な刃先に逃げ角Ｅを付けることはせず  チップが台板からはみ出す事なく  しかも  外周円と同じにして  チップに圧縮応力だけが  かかる様にした，そして又〔図１〕のＢ，Ｃの刃部分の始まりを外周付近から始めれば  Ａの部分が小さくなり、石やコンクリートの少ない現場では  草の切れ味がよくなり能率が上がる  又  その逆でＢ，Ｃの始まりを外周から離せばＡの部分が広がり  石垣や瓦礫の多い厳しい状況に対応する事が出来る。草刈り丸鋸の草刈り機への装着は〔図４〕に示すように  ゴム板Ｆを介して固定し、刃がまともに石にぶつかった時に  衝撃を吸収させチップの破損を防ぐことが出来る。以上の考案のコンビネーションにより  チップの飛びにくい永切れのする草刈り丸鋸の誕生となった
【図面の簡単な説明】
【０００９】
【図１】本考案のチップの形状の図  ＜ア＞・・・・超硬チップ  ＜イ＞・・・・台板  付号Ａは石などを粉砕する部分．付号Ｂ．Ｃ．及びＤは草を刈り取る部分．
【図２】従来のチップ付き草刈り丸鋸の刃先部分の付号Ｅは刃先の逃げ角
【図３】草刈り機の草刈り丸鋸取り付け部分の図．付号Ｆは衝撃吸収の為のゴム板
【図１】
0003130755.tif 000003
【図２】
0003130755.tif 000004
【図３】
0003130755.tif 000005
【手続補正書】
【提出日】平成18年8月14日(2006.8.14)
【手続補正１】
【補正対象書類名】実用新案登録請求の範囲
【補正対象項目名】全文
【補正方法】変更
【補正の内容】
【実用新案登録請求の範囲】
【請求項１】
草刈り機用チップ付き草刈り丸鋸において「図１」に示す＜ア＞の超硬チップの形状を平たい直方体のＢの部分を削り取った形にしそれを台板＜イ＞のＣ，Ｄ、の部分まで延長させた形状を特徴とする草刈り丸鋸です。
【請求項２】
チップ付き草刈丸鋸の草刈り機への取り付けにおいて＜図３＞に示すゴムワッシャＦを介して行うことを特徴とする草刈り丸鋸です。
〔符号の説明〕
〔０００８〕
＜ア＞・・・・・・シリコーンカーバイトの超硬チップ
＜イ＞・・・・・・草刈り丸鋸の台板
Ａ・・・・・・・石などを砕く為の部分
Ｂ・Ｃ・Ｄ・・・草などを刈る為の刃の部分
Ｆ・・・・・・・ゴムワッシャ
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
円盤状基盤の外縁に複数の凹所と凸所とを交互に形成し、各前記凸所の所定回転方向全縁の先端部に埋め込み形の超硬合金製チップをロウ付けした、草刈り丸鋸において、チップの形状を、一角を丸めた薄型正方形とし  凸所の所定回転方向前縁部の一辺の表面からチップと基盤を一定の角度で削ぎ落とし裏面からもおなじ角度で削ぎ落として横切れはを形成させてチップの強度と切れ味を持たせた形状を特徴とした草刈り丸鋸です。
【請求項２】
請求項１に記載の草刈り丸鋸において、チップの破損を、さらに防ぐために草刈り機への取り付けをゴムワッシャを介して行う事を特長とする、草刈り丸鋸です。
【手続補正２】
【補正対象書類名】明細書
【補正対象項目名】全文
【補正方法】変更
【補正の内容】
【考案の詳細な説明】
【技術分野】
【０００１】  刃先の強化の為に超硬チップを付けた草刈り丸鋸に関する考案
【背景技術】
【０００２】  空き地や石垣，道路や用要壁付近の草刈においては先に石などの硬い物がぶつかった時の為に刃先に超硬チップを付けて切れ味の落ちるのを防いでいます。例えば（特許文献１）や（実用新案文献１）のような技術がある。【０００３】
【特許文献１】出願番号  特許出願平１１−３１８５４５  公開番号  特許公開２００１−１２８５３０  出願人  株式会社日光製作所  発明者  福本  幸男  外１名  発明の名称  仮払機用超硬刈刃
【０００４】
【実用新案文献１】
出願番号      実用新案出願平１０２９０１
登録番号      登録実用新案第３０５３６５９号
実用新案権者  金蔵鋸工業株式会社
考案者        井上  誠吾
考案の名称    草刈りチップソー
【考案が解決しようとする課題】
【０００５】現在  道路や石垣の際に生えた雑草、大小の石ころやゴミの散在する空き地などの草刈りには超硬チップの付いた草刈り丸鋸を使いますが、石や鉄に当たればじきに切れ味が落ちてしまいます。巣して大きな石にガツンとぶつかれば硬いチップも吹っ飛んでしまいます、これをチップの形状と丸鋸の草刈り機への取り付け方法によって防ぎ、永切れのする草刈り丸鋸の実現の為の考案です。
【課題を解決するための手段】
【０００６】  超硬チップの形状と台板へのロウ付け方法、それと草刈り丸鋸の草刈り機への取り付けをゴム板を介して行う。
【考案を実施するための最良の形態】
【０００７】  「図１」に示すように超硬チップの先端部Ａを残しＢ部分を角度３０度位で削り取りそのまま台板部分Ｃを経由しＢの所まで削り取る、これを裏面からも同じように削って刃をつける、この刃の角度は６０度ぐらいとなる、チップの台板へのロウ付けはチップと台板を同一の平面状とし「図３」の示す様にゴム板ｆを介して行う。
【考案の効果】
【０００８】  従来の多くの超硬チップ付き丸鋸は先端の刃が地面に対して垂直についていて草に対して刃が平行に動くので言って見れば鎌を立てて使っているようなもので非常に効率が悪く刈り残しも多い、本考案はチップと台板が作り出す刃は地面に対して水平に動き「図１」に示すＡの部分にぶつかった草はＢからＣへそしてＤに至るまでにきれいに切断される仕組で刈り残しがない。「図１」のＢ及びＣの部分はデイスク面に対して２０度〜３０度の角度で削り取り裏からも同じように削り取り両刃のなす角度を４０度〜６０度にして現場の状況に合わせた刃の角度を選ぶ事ができる。そしてまたチップ及び台板の刃の再研磨の場合もかまぼこ型のダイヤモンド砥石などで簡単に研ぐ事が出きる。従来の草刈り丸鋸の致命的なところは最も石やコンクリートがぶつかりやすい所に草を刈る為の刃が付いている事で条件の厳しい所ではすぐに切れ味が落ちてしまう、底で本考案は「図１」に示す様にＡの部分には刃を付けず破損の少ない丈夫な形にしチップのロウ付けの部分は「図２」に示す従来のような刃先に逃げ角Ｅを付けることをせずチップが台板からはみ出すことなく  しかも外周とおなじにしてチップに圧縮応力だけがかかるようにした，そして又「図１」に示す様にＡの部分が小さくなり、石やコンクリートの少ない現場では草の切れ味が良くなり能率があがる又その逆でＢ，Ｃの始まりを外周から離せばＡの部分が広がり石垣や瓦礫の多い厳しい状況に対応する事ができる。草刈り丸鋸の草刈り機への装着は「図３」に示す様にゴム板Ｆを介して固定し、刃がまともに石にぶつかったときに衝撃を吸収させチップの破損を防ぐ事が出きる。以上の考案のコンビネーションにより、チップの飛びにくい永切れのする草刈り丸鋸の誕生となった。
【図面の簡単な説明】
【０００９】
【図１】本考案のチップの形状の図＜ア＞・・・・超硬チップ  ＜イ＞・・・・台板符号Ａは石などを粉砕する部分、符号Ｂ，Ｃ、及びＤは草を刈り取る部分、
【図２】従来のチップ付き草刈り丸鋸の刃の部分の符号Ｅは刃先の逃げ角
【図３】草刈り機の草刈り丸鋸取り付け部分の図、ふごうＦは衝撃吸収の為のゴム
【符号の説明】
【００１０】＜ア＞・・・・・・・・・シリコーンカーバイトの超硬チップ
＜イ＞・・・・・・・・・草刈り丸鋸の台板
Ａ・・・・・・・・・・・石などを砕く為の部分
Ｂ・Ｃ・Ｄ・・・・・・・草などを刈る為の部分
Ｆ・・・・・・・・・・・ゴムワッシャ